(57)【要約】【課題】本発明は、清掃具用のラックとそれを備えた脚立に関する発明である。【解決手段】本発明は、係止空間を設けた略コの字状をした取付部材と、取付部材の前面下部に連結される左右枠を備えた上ラックと、上ラックの下部に連結される左右枠を備えた下ラックとからなり、平行に並んだ正面板及び中板を起立させて備えた下板を下部に連結し、上部背面に係止空間を設けて係止板を連設した背面板と、正面に複数の収納部を備え背面に係止板を備え正面板に取り付けられた取付板とからなる清掃具用ラック及び等間隔かつ平行に並んだ左上中下渡し板の各端を連結し上部外表面に左前後連結板を備え下部に左前後滑り止めを備えた左前後脚と、等間隔かつ平行に並んだ右上中下渡し板の各端を連結し上部外表面に左前後連結板と回動可能に連結される右前後連結板を備え下部に右前後滑り止めを備えた右前後脚とからなる脚立の構成とした。【選択図】図１
2007282898.tif 000002
【特許請求の範囲】
【請求項１】
係止空間５ａを設けた略コの字状をした取付部材５と、前記取付部材５の前面下部に連結される左右枠６ａ、６ｂを備えた上ラック６と、前記上ラック６の下部に連結される左右枠７ａ、７ｂを備えた略コの字状の下ラック７とからなることを特徴とする清掃具用ラック１ａ。
【請求項２】
平行に並んだ正面板１１ｃ及び中板１１ｂを起立させて備えた下板１１ａを下部に連結し、上部背面に係止空間１１ｄを設けて係止板１１ｅを連設した背面板１１からなることを特徴とする清掃具用ラック。
【請求項３】
平行に並んだ正面板１１ｃ及び中板１１ｂを起立させて備えた下板１１ａを下部に連結し、上部背面に係止空間１１ｄを設けて係止板１１ｅを連設した背面板１１と、正面に複数の収納部１２ｂを備え背面に係止板１２ａを備え前記正面板１１ｃに取り付けられた取付板１２とからなることを特徴とする清掃具用ラック。
【請求項４】
等間隔かつ平行に並んだ左上中下渡し板８ｄ、８ｅ、８ｆの各端を連結し上部外表面に左前後連結板８ｂ、８ｃを備え下部に左前後滑り止め８ｇ、８ｈを備えた左前後脚８、８ａと、等間隔かつ平行に並んだ右上中下渡し板９ｄ、９ｅ、９ｆの各端を連結し上部外表面に前記左前後連結板８ｂ、８ｃと回動可能に連結される右前後連結板９ｂ、９ｃを備え下部に右前後滑り止め９ｇ、９ｈを備えた右前後脚９、９ａとからなる脚立２に清掃具用ラック１、１ａ、１ｂを備えたことを特徴とする脚立。
【発明の詳細な説明】
【技術分野】
【０００１】
本発明は、清掃具用のラックとそれを備えた脚立に関する発明である。
【背景技術】
【０００２】
従来、清掃する者はモップの先端部や水切りの先端部また各工具を腰に取り付けた作業用ベルトに取り付けて清掃作業等をしていた。
【特許文献１】特開平１０−１１５１６６号公報
【０００３】
しかしながら、従来の作業用ベルトを使用すると水分などを含んだモップの先端や、まだ濡れている水切りを係止した場合に衣服などが濡れてしまうことがあり作業のしにくいものであった。
【０００４】
また、沢山の清掃用具や工具を腰に巻き付けているため、動きにくく脚立の上など不安定な場所での作業の場合、不便で危険なものであった。
【０００５】
更に、上記のような問題を避けるために清掃用具等を交換する場合、脚立から降りて道具を交換していたが、脚立の上り下り等が面倒で作業効率を下げていた。
【発明の開示】
【発明が解決しようとする課題】
【０００６】
そこで、本発明は、用具を交換する場合に脚立等から降りて交換する必要がないため作業効率を下げることなく安全に用具交換でき、また腰に取り付ける必要もないため作業がし易く、更に衣服を汚すことない清掃用ラックとそれを備えた脚立を提供することを目的とするものである。
【課題を解決するための手段】
【０００７】
本発明は、上記の課題を解決するために、係止空間５ａを設けた略コの字状をした取付部材５と、前記取付部材５の前面下部に連結される左右枠６ａ、６ｂを備えた上ラック６と、前記上ラック６の下部に連結される左右枠７ａ、７ｂを備えた略コの字状の下ラック７とからなることを特徴とする清掃具用ラック１ａの構成、平行に並んだ正面板１１ｃ及び中板１１ｂを起立させて備えた下板１１ａを下部に連結し、上部背面に係止空間１１ｄを設けて係止板１１ｅを連設した背面板１１からなることを特徴とする清掃具用ラック１ｂの構成、平行に並んだ正面板１１ｃ及び中板１１ｂを起立させて備えた下板１１ａを下部に連結し、上部背面に係止空間１１ｄを設けて係止板１１ｅを連設した背面板１１と、正面に複数の収納部１２ｂを備え背面に係止板１２ａを備え前記正面板１１ｃに取り付けられた取付板１２とからなることを特徴とする清掃具用ラック１ｂの構成及び等間隔かつ平行に並んだ左上中下渡し板８ｄ、８ｅ、８ｆの各端を連結し上部外表面に左前後連結板８ｂ、８ｃを備え下部に左前後滑り止め８ｇ、８ｈを備えた左前後脚８、８ａと、等間隔かつ平行に並んだ右上中下渡し板９ｄ、９ｅ、９ｆの各端を連結し上部外表面に前記左前後連結板８ｂ、８ｃと回動可能に連結される右前後連結板９ｂ、９ｃを備え下部に右前後滑り止め９ｇ、９ｈを備えた右前後脚９、９ａとからなる脚立２に清掃具用ラック１、１ａ、１ｂを備えたことを特徴とする脚立の構成とした。
【発明の効果】
【０００８】
本発明の清掃具用ラックとそれを備えた脚立は脚立に清掃具用ラックを備えているため、使用して水分を含んでしまったモップや水切りを腰に掛ける必要がないため、衣服を濡らしてしまうことがなく清掃作業をすることができる。
【０００９】
また、工具などを収納することができるため、清掃用具の交換は勿論のこと、工具の交換なども脚立から降りることなく簡単にすることができるため、作業効率を下げることなく安全に清掃作業等をすることができる。
【発明を実施するための最良の形態】
【００１０】
作業効率を下げることなく安全に脚立上で作業をすることができるという目的を、脚立に清掃具用ラックを取り付けることによって実現した。
【実施例１】
【００１１】
図１は本発明である清掃具用ラックとそれを備えた脚立の正面図、図２は清掃具用ラックとそれを備えた脚立の左側面図である。
【００１２】
図１及び図２に示すように、本発明である清掃具用ラック１とそれを備えた脚立２は、モップ３や水切り４を同時に係止することができる清掃具用ラック１と、前記清掃具用ラック１を側面に備えた脚立２からなる。清掃具用ラック１の詳細は図３以降で説明することとする。
【００１３】
脚立２は等間隔かつ平行に並んだ左上中下渡し板８ｄ、８ｅ、８ｆの各端を連結し上部外表面に左前後連結板８ｂ、８ｃを備え下部に左前後滑り止め８ｇ、８ｈを備えた左前後脚８、８ａと、等間隔かつ平行に並んだ右上中下渡し板９ｄ、９ｅ、９ｆの各端を連結し上部外表面に前記左前後連結板８ｂ、８ｃと回動可能に連結される右前後連結板９ｂ、９ｃを備え下部に右前後滑り止め９ｇ、９ｈを備えた右前後脚９、９ａとからなる。
【００１４】
前記左前後脚８、８ａと左上中下渡し板８ｄ、８ｅ、８ｆとの連結は留め具８ｉにより連結されており同様に右前後脚９、９ａと右上中下渡し板９ｄ、９ｅ、９ｆとの連結は留め具９ｉにより連結されている。
【００１５】
図１に示すように、前記左前後連結板８ｂ、８ｃには孔を設けた左連結部８ｊを形成しており、右前後連結板９ｂ、９ｃにも孔を設けた右連結部９ｊを形成している。この左右連結部８ｊ、９ｊを重ね接続具１０により回動可能に連結することで、左右の脚は開閉することができる。
【００１６】
また、左右の脚を開いた時に必要以上に脚同士が開いてしまわないように、左右の開脚幅を一定に保つための左右前脚８、９を留める前連結棒８ｌと、左右後脚８ａ、９ａを留める後連結棒８ｍが取り付けられている。
【００１７】
前記左上渡し板８ｄの上面には左上板８ｋが取り付けられており、前記右上渡し板９ｄの上面にも右上板９ｋが取り付けられている。前記左右上板８ｋ、９ｋは左右の脚を開いた状態では地表面と平行になる。つまり、左右上板８ｋ、９ｋは同じ高さで平行に並んだ状態となる。
【００１８】
本発明では特に渡し板が左右３枚ずつである３段の脚立としたが、この脚立は限定したものではなく、これよりも高さのある脚立でもよい。
【００１９】
次に前記脚立２に取り付ける清掃具用ラック１を説明することとする。図３は本発明である清掃具用ラックの正面図、図４は清掃具用ラックの左側面図、図５は清掃具用ラックの斜視図である。
【００２０】
図３から図５に示すように、清掃具用ラック１は、係止空間５ａを設け側面より見た場合に略コの字状をした取付部材５と、前記取付部材５の前面下部に連結される左右枠６ａ、６ｂを備えた略Ｌ字型の上ラック６と、前記上ラック６の下部に連結される左右枠７ａ、７ｂを備えた略コ字状の下ラック７とからなる。
【００２１】
前記上ラック６は左右枠６ａ、６ｂを備えた略コの字状をしており、左右枠６ａ、６ｂの前方約３分の１の部分は左右折曲部６ｃ、６ｄを形成して上部に向かって垂直に折り曲げられている。
【００２２】
前記下ラック７は左右枠７ａ、７ｂを備えており、左右枠７ａ、７ｂの後端部同士は上枠７ｇにより連結されている。左右枠７ａ、７ｂの前方部分には左右折曲部７ｃ、７ｄを形成して上部に向かって垂直に折り曲げられている。この下ラック７の前方折り曲げ部分の長さと上ラック６の前方折り曲げ部分の長さはほぼ同じである。
【００２３】
左右枠７ａ、７ｂの後方部分には左右接続部７ｅ、７ｆが形成されており、この左右接続部７ｅ、７ｆは、前記上ラック６の左右枠６ａ、６ｂに連結されている。
【００２４】
図３から図５に示すように、上ラック６と下ラック７は同じ幅でかつ平行であり、上ラック６の左右枠６ａ、６ｂと下ラック７の左右枠７ａ、７ｂは全て平行である。また、上下ラック６、７の左右枠６ａ、７ａ、６ｂ、７ｂの傾斜角度も全て同じである。
【００２５】
図４に示すように、左右枠６ａ、７ａ、６ｂ、７ｂの先端部分は斜め上前方に向かって折り返されているため、上下ラック６、７に係止したモップ３や水切り４も上端部を斜め上前方に向かった状態で係止されるため出し入れし易い。
【００２６】
図３から図５に示した清掃具用ラック１の取付部材５に形成された係止空間５ａを前記脚立２の前後連結棒８ｌ、８ｍのいずれかに係止することによって清掃具用ラック１を脚立２に取り付けることができる。
【００２７】
図６は本発明である清掃具用ラックの第２実施例とそれを備えた脚立の正面図、図７は清掃具用ラックの第２実施例とそれを備えた脚立の左側面図、図８は清掃具用ラックの第２実施例の斜視図である。
【００２８】
図６から図８に示すように、本発明である清掃具用ラック１ａは、平行に並んだ正面板１１ｃ及び中板１１ｂを起立させて備えた下板１１ａを下部に連結し、上部背面に係止空間１１ｄを設けて係止板１１ｅを連設した背面板１１からなる。
【００２９】
前記正面板１１ｃ及び中板１１ｂは背面板１１のおよそ半分の高さの板で、背面板１１より前方に向かって傾斜している。また、下板１１ａは背面板１１と垂直の関係にある。即ち、正面板１１ｃ及び中板１１ｂは下板１１ａに対して垂直に取り付けられているのではなく、９０°より若干大きい角度で取り付けられている。
【００３０】
そのため背面板１１と中板１１ｂの間と中板１１ｂと正面板１１ｃの間に係止されるモップ３や水切り４などの上端部分は中板１１ｂ及び正面板１１ｃの傾斜に沿って正面側に傾斜して係止されるため、出し入れし易い。
【００３１】
図７に示すように、係止板１１ｅを脚立２の前後連結棒８ｌ、８ｍのいずれかに係止することによって清掃具用ラック１ａを脚立２に取り付けることができる。
【００３２】
図９は本発明である清掃具用ラックの第３実施例とそれを備えた脚立の正面図、図１０は本発明である清掃具用ラックの第３実施例の斜視図である。
【００３３】
図９及び図１０に示すように、清掃具用ラック１ｂは前記清掃具用ラック１ａとほぼ同じである。即ち、平行に並んだ正面板１１ｃ及び中板１１ｂを起立させて備えた下板１１ａを下部に連結し、上部背面に係止空間１１ｄを設けて係止板１１ｅを連設した背面板１１と、正面に複数の収納部１２ｂ、１２ｂ、１２ｂ・・を備え背面に係止板１２ａを備え前記正面板１１ｃに取り付けられた取付板１２とからなる。
【００３４】
図９に示すように、収納部１２ｂにはドライバー１３などの工具を収納することができるため、清掃途中などに修理箇所などを発見した場合には、すぐに工具を使用することができ便利である。
【図面の簡単な説明】
【００３５】
【図１】本発明である清掃具用ラックとそれを備えた脚立の正面図である。
【図２】本発明である清掃具用ラックとそれを備えた脚立の左側面図である。
【図３】本発明である清掃具用ラックの正面図である。
【図４】本発明である清掃具用ラックの左側面図である。
【図５】本発明である清掃具用ラックの斜視図である。
【図６】本発明である清掃具用ラックの第２実施例とそれを備えた脚立の正面図である。
【図７】本発明である清掃具用ラックの第２実施例とそれを備えた脚立の左側面図である。
【図８】本発明である清掃具用ラックの第２実施例の斜視図である。
【図９】本発明である清掃具用ラックの第３実施例とそれを備えた脚立の正面図である。
【図１０】本発明である清掃具用ラックの第３実施例の斜視図である。
【符号の説明】
【００３６】
１      清掃具用ラック
１ａ    清掃具用ラック
１ｂ    清掃具用ラック
２      脚立
３      モップ
４      水切り
５      取付部材
５ａ    係止空間
６      上ラック
６ａ    左枠
６ｂ    右枠
６ｃ    左折曲部
６ｄ    右折曲部
７      下ラック
７ａ    左枠
７ｂ    右枠
７ｃ    左折曲部
７ｄ    右折曲部
７ｅ    左接続部
７ｆ    右接続部
７ｇ    上枠
８      左前脚
８ａ    左後脚
８ｂ    左前連結板
８ｃ    左後連結板
８ｄ    左上渡し板
８ｅ    左中渡し板
８ｆ    左下渡し板
８ｇ    左前滑り止め
８ｈ    左後滑り止め
８ｉ    留め具
８ｊ    左連結部
８ｋ    左上板
８ｌ    前連結棒
８ｍ    後連結棒
９      右前脚
９ａ    右後脚
９ｂ    右前連結板
９ｃ    右後連結板
９ｄ    右上渡し板
９ｅ    右中渡し板
９ｆ    右下渡し板
９ｇ    右前滑り止め
９ｈ    右後滑り止め
９ｉ    留め具
９ｊ    右連結部
９ｋ    右上板
１０      接続具
１１      背面板
１１ａ    下板
１１ｂ    中板
１１ｃ    正面板
１１ｄ    係止空間
１１ｅ    係止板
１２      取付板
１２ａ    係止板
１２ｂ    収納部
１３      ドライバー
【図１】
2007282898.tif 000003
【図２】
2007282898.tif 000004
【図３】
2007282898.tif 000005
【図４】
2007282898.tif 000006
【図５】
2007282898.tif 000007
【図６】
2007282898.tif 000008
【図７】
2007282898.tif 000009
【図８】
2007282898.tif 000010
【図９】
2007282898.tif 000011
【図１０】
2007282898.tif 000012